(57)【要約】【課題】取引ごとにオーソリを行う場合において処理が煩雑になる程度を低減する。【解決手段】取引装置は、加盟店からの売上データを集信する集信部と、イシュアとアクワイアラとが同一でないＮｏｔ  ｏｎ−ｕｓ分のオーソリ用データを作成し、作成したオーソリ用データを各イシュアに転送する転送部と、各イシュアからのオーソリ結果を受領する受領部と、集信部が集信した売上データにオーソリ結果を付与した売上データを作成する売上データ作成部と、オーソリ結果を付与した売上データをアクワイアラに配信する配信部とを備える。【選択図】図２
2015092333.tif 000002
【特許請求の範囲】
【請求項１】
加盟店からの売上データを集信する集信部と、
イシュアとアクワイアラとが同一でないＮｏｔ  ｏｎ−ｕｓ分のオーソリ用データを作成し、作成した前記オーソリ用データを各イシュアに転送する転送部と、
前記各イシュアからのオーソリ結果を受領する受領部と、
前記集信部が集信した前記売上データに前記オーソリ結果を付与した売上データを作成する売上データ作成部と、
前記オーソリ結果を付与した売上データを前記アクワイアラに配信する配信部と
を備えることを特徴とする取引装置。
【請求項２】
前記転送部は、
前記加盟店ごとのアクワイアラの識別情報を記憶する記憶部から取得した前記アクワイアラの識別情報と、前記売上データに含まれる会員番号に対応するイシュア情報とに基づいて、前記Ｎｏｔ  ｏｎ−ｕｓ分のオーソリ用データを作成し、作成した前記オーソリ用データをファイルにして各イシュアに転送し、
前記受領部は、前記オーソリ結果をファイルにて、前記各イシュアから受領する
ことを特徴とする請求項１に記載の取引装置。
【請求項３】
対象の加盟店を示す対象加盟店情報を記憶する対象加盟店情報記憶部と、
イシュアを判定するイシュア判定情報を記憶するイシュア情報記憶部と、
オーソリ用データを取得する取得部と、
前記対象加盟店情報記憶部が記憶する前記対象加盟店情報と、イシュア情報記憶部が記憶する前記イシュア判定情報とに基づいて、定期的に課金する取引を示すリカーリングを識別するリカーリング識別子が付加されたオーソリ用データを転送する前記イシュアを判定し、前記取得部が取得した前記オーソリ用データのうちの、当該イシュアに対応する前記リカーリング識別子が付加されたオーソリ用データを当該イシュアに転送する転送部と
を備えることを特徴とする取引装置。
【請求項４】
前記オーソリ用データに基づくオーソリ処理を代行するイシュアの識別情報を示すイシュア代行情報を記憶するイシュア代行記憶部を備え、
前記転送部は、
前記イシュア代行記憶部が記憶するイシュア代行情報に基づいて、オーソリ処理を代行する対象イシュアを抽出し、前記取得部が取得した前記オーソリ用データのうちの、当該対象イシュアに対応する当該オーソリ用データを、オーソリ処理を代行する代行センタに送信する
ことを特徴とする請求項３に記載の取引装置。
【請求項５】
前記転送部は、
前記リカーリング識別子が付加されたオーソリ用データを転送すると判定した前記イシュアのうち、前記イシュアによって予め指定されたオーソリ用データの転送システムに対応したデータフォーマットに、前記リカーリング識別子が付加されたオーソリ用データを変換し、変換した当該オーソリ用データを、前記指定されたオーソリ用データの転送システムを介して、前記イシュアに転送する
ことを特徴とする請求項３又は請求項４に記載の取引装置。
【請求項６】
前記転送部は、
前記取得部が取得した前記オーソリ用データのうちの、前記リカーリング識別子が付加されたオーソリ用データを転送すると判定した前記イシュアに対応する当該オーソリ用データに前記リカーリング識別子を付加する
ことを特徴とする請求項３から請求項５のいずれか一項に記載の取引装置。
【請求項７】
前記オーソリ用データを前記イシュアに転送する場合に、所定のルールに基づいて、前記オーソリ用データの転送量を調整し、前記オーソリ用データを前記イシュアに中継する中継部
を備えることを特徴とする請求項１から請求項６のいずれか一項に記載の取引装置。
【請求項８】
加盟店からの売上データを集信する集信ステップと、
イシュアとアクワイアラとが同一でないＮｏｔ  ｏｎ−ｕｓ分のオーソリ用データを作成し、作成した前記オーソリ用データを各イシュアに転送する転送ステップと、
前記各イシュアからのオーソリ結果を受領する受領ステップと、
前記集信ステップにおいて集信した前記売上データに前記オーソリ結果を付与した売上データを作成する売上データ作成ステップと、
前記オーソリ結果を付与した売上データを前記アクワイアラに配信する配信ステップと
を含むことを特徴とする処理方法。
【請求項９】
対象の加盟店を示す対象加盟店情報を記憶する対象加盟店情報記憶部と、イシュアを判定するイシュア判定情報を記憶するイシュア情報記憶部とを備える取引装置の処理方法であって、
オーソリ用データを取得する取得ステップと、
前記対象加盟店情報記憶部が記憶する前記対象加盟店情報と、イシュア情報記憶部が記憶する前記イシュア判定情報とに基づいて、定期的に課金する取引を示すリカーリングを識別するリカーリング識別子が付加されたオーソリ用データを転送する前記イシュアを判定し、前記取得ステップにおいて取得した前記オーソリ用データのうちの、当該イシュアに対応する前記リカーリング識別子が付加されたオーソリ用データを当該イシュアに転送する転送ステップと
含むことを特徴とする処理方法。
【請求項１０】
コンピュータに、
加盟店からの売上データを集信する集信ステップと、
イシュアとアクワイアラとが同一でないＮｏｔ  ｏｎ−ｕｓ分のオーソリ用データを作成し、作成した前記オーソリ用データを各イシュアに転送する転送ステップと、
前記各イシュアからのオーソリ結果を受領する受領ステップと、
前記集信ステップにおいて集信した前記売上データに前記オーソリ結果を付与した売上データを作成する売上データ作成ステップと、
前記オーソリ結果を付与した売上データを前記アクワイアラに配信する配信ステップと
を実行させるためのプログラム。
【請求項１１】
対象の加盟店を示す対象加盟店情報を記憶する対象加盟店情報記憶部と、イシュアを判定するイシュア判定情報を記憶するイシュア情報記憶部とを備える取引装置のコンピュータに、
オーソリ用データを取得する取得ステップと、
前記対象加盟店情報記憶部が記憶する前記対象加盟店情報と、イシュア情報記憶部が記憶する前記イシュア判定情報とに基づいて、定期的に課金する取引を示すリカーリングを識別するリカーリング識別子が付加されたオーソリ用データを転送する前記イシュアを判定し、前記取得ステップにおいて取得した前記オーソリ用データのうちの、当該イシュアに対応する前記リカーリング識別子が付加されたオーソリ用データを当該イシュアに転送する転送ステップと
を実行させるためのプログラム。
【発明の詳細な説明】
【技術分野】
【０００１】
本発明は、取引装置、処理方法、及びプログラムに関する。
【背景技術】
【０００２】
クレジットカードの加盟店、イシュア（カード発行会社）、及びアクワイアラ（加盟店契約会社）の間において、取引の結果を示す売上データを収集・配信する取引システムがある。
【先行技術文献】
【特許文献】
【０００３】
【特許文献１】特開２００４−８６５８０号公報
【発明の概要】
【発明が解決しようとする課題】
【０００４】
しかしながら、上述のような従来の取引システムにおいては、取引ごとにオーソリゼーション（以下、オーソリという）を行う場合には、処理が煩雑になるという問題点があった。
【０００５】
本発明は、このような状況に鑑みてなされたもので、取引ごとにオーソリを行う場合において処理が煩雑になる程度を低減することができる取引装置、処理方法、及びプログラムを提供する。
【課題を解決するための手段】
【０００６】
上述した課題を解決するために、本発明の一態様は、加盟店からの売上データを集信する集信部と、イシュアとアクワイアラとが同一でないＮｏｔ  ｏｎ−ｕｓ分のオーソリ用データを作成し、作成した前記オーソリ用データを各イシュアに転送する転送部と、前記各イシュアからのオーソリ結果を受領する受領部と、前記集信部が集信した前記売上データに前記オーソリ結果を付与した売上データを作成する売上データ作成部と、前記オーソリ結果を付与した売上データを前記アクワイアラに配信する配信部とを備えることを特徴とする取引装置である。
【０００７】
また、本発明の一態様は、上記の取引装置において、前記転送部は、前記加盟店ごとのアクワイアラの識別情報を記憶する記憶部から取得した前記アクワイアラの識別情報と、前記売上データに含まれる会員番号に対応するイシュア情報とに基づいて、前記Ｎｏｔ  ｏｎ−ｕｓ分のオーソリ用データを作成し、作成した前記オーソリ用データをファイルにして各イシュアに転送し、前記受領部は、前記オーソリ結果をファイルにて、前記各イシュアから受領することを特徴とする。
【０００８】
また、本発明の一態様は、対象の加盟店を示す対象加盟店情報を記憶する対象加盟店情報記憶部と、イシュアを判定するイシュア判定情報を記憶するイシュア情報記憶部と、オーソリ用データを取得する取得部と、前記対象加盟店情報記憶部が記憶する前記対象加盟店情報と、イシュア情報記憶部が記憶する前記イシュア判定情報とに基づいて、定期的に課金する取引を示すリカーリングを識別するリカーリング識別子が付加されたオーソリ用データを転送する前記イシュアを判定し、前記取得部が取得した前記オーソリ用データのうちの、当該イシュアに対応する前記リカーリング識別子が付加されたオーソリ用データを当該イシュアに転送する転送部とを備えることを特徴とする取引装置である。
【０００９】
また、本発明の一態様は、上記の取引装置において、前記オーソリ用データに基づくオーソリ処理を代行するイシュアの識別情報を示すイシュア代行情報を記憶するイシュア代行記憶部を備え、前記転送部は、前記イシュア代行記憶部が記憶するイシュア代行情報に基づいて、オーソリ処理を代行する対象イシュアを抽出し、前記取得部が取得した前記オーソリ用データのうちの、当該対象イシュアに対応する当該オーソリ用データを、オーソリ処理を代行する代行センタに送信することを特徴とする。
【００１０】
また、本発明の一態様は、上記の取引装置において、前記転送部は、前記リカーリング識別子が付加されたオーソリ用データを転送すると判定した前記イシュアのうち、前記イシュアによって予め指定されたオーソリ用データの転送システムに対応したデータフォーマットに、前記リカーリング識別子が付加されたオーソリ用データを変換し、変換した当該オーソリ用データを、前記指定されたオーソリ用データの転送システムを介して、前記イシュアに転送することを特徴とする。
【００１１】
また、本発明の一態様は、上記の取引装置において、前記転送部は、前記取得部が取得した前記オーソリ用データのうちの、前記リカーリング識別子が付加されたオーソリ用データを転送すると判定した前記イシュアに対応する当該オーソリ用データに前記リカーリング識別子を付加することを特徴とする。
【００１２】
また、本発明の一態様は、上記の取引装置において、前記オーソリ用データを前記イシュアに転送する場合に、所定のルールに基づいて、前記オーソリ用データの転送量を調整し、前記オーソリ用データを前記イシュアに中継する中継部を備えることを特徴とする。
【００１３】
また、本発明の一態様は、加盟店からの売上データを集信する集信ステップと、イシュアとアクワイアラとが同一でないＮｏｔ  ｏｎ−ｕｓ分のオーソリ用データを作成し、作成した前記オーソリ用データを各イシュアに転送する転送ステップと、前記各イシュアからのオーソリ結果を受領する受領ステップと、前記集信ステップにおいて集信した前記売上データに前記オーソリ結果を付与した売上データを作成する売上データ作成ステップと、前記オーソリ結果を付与した売上データを前記アクワイアラに配信する配信ステップとを含むことを特徴とする処理方法である。
【００１４】
また、本発明の一態様は、対象の加盟店を示す対象加盟店情報を記憶する対象加盟店情報記憶部と、イシュアを判定するイシュア判定情報を記憶するイシュア情報記憶部とを備える取引装置の処理方法であって、オーソリ用データを取得する取得ステップと、前記対象加盟店情報記憶部が記憶する前記対象加盟店情報と、イシュア情報記憶部が記憶する前記イシュア判定情報とに基づいて、定期的に課金する取引を示すリカーリングを識別するリカーリング識別子が付加されたオーソリ用データを転送する前記イシュアを判定し、前記取得ステップにおいて取得した前記オーソリ用データのうちの、当該イシュアに対応する前記リカーリング識別子が付加されたオーソリ用データを当該イシュアに転送する転送ステップと含むことを特徴とする処理方法である。
【００１５】
また、本発明の一態様は、コンピュータに、加盟店からの売上データを集信する集信ステップと、イシュアとアクワイアラとが同一でないＮｏｔ  ｏｎ−ｕｓ分のオーソリ用データを作成し、作成した前記オーソリ用データを各イシュアに転送する転送ステップと、前記各イシュアからのオーソリ結果を受領する受領ステップと、前記集信ステップにおいて集信した前記売上データに前記オーソリ結果を付与した売上データを作成する売上データ作成ステップと、前記オーソリ結果を付与した売上データを前記アクワイアラに配信する配信ステップとを実行させるためのプログラムである。
【００１６】
また、本発明の一態様は、対象の加盟店を示す対象加盟店情報を記憶する対象加盟店情報記憶部と、イシュアを判定するイシュア判定情報を記憶するイシュア情報記憶部とを備える取引装置のコンピュータに、オーソリ用データを取得する取得ステップと、前記対象加盟店情報記憶部が記憶する前記対象加盟店情報と、イシュア情報記憶部が記憶する前記イシュア判定情報とに基づいて、定期的に課金する取引を示すリカーリングを識別するリカーリング識別子が付加されたオーソリ用データを転送する前記イシュアを判定し、前記取得ステップにおいて取得した前記オーソリ用データのうちの、当該イシュアに対応する前記リカーリング識別子が付加されたオーソリ用データを当該イシュアに転送する転送ステップとを実行させるためのプログラムである。
【発明の効果】
【００１７】
以上説明したように、本発明によれば、取引ごとにオーソリを行う場合において処理が煩雑になる程度を低減することができる取引システムを提供することができる。
【図面の簡単な説明】
【００１８】
【図１】本発明の実施形態における取引システムの概要を示す概要図である。
【図２】本実施形態におけるデータフローの一例を示す模式図である。
【図３】本実施形態におけるデータフローの第１の変形例を示す模式図である。
【図４】本実施形態におけるデータフローの第２の変形例を示す模式図である。
【図５】本実施形態におけるデータフローの第３の変形例を示す模式図である。
【図６】本実施形態におけるデータフローの第４の変形例を示す模式図である。
【図７】本実施形態におけるデータフローの第５の変形例を示す模式図である。
【図８】第１の実施形態による取引システムの一例を示す機能ブロック図である。
【図９】第１の実施形態におけるアクワイアラ情報記憶部のデータ例を示す図である。
【図１０】第１の実施形態におけるイシュアＢＩＮ情報記憶部のデータ例を示す図である。
【図１１】第１の実施形態による取引システムの動作の一例を示すシーケンス図である。
【図１２】第２の実施形態による取引システムの一例を示す機能ブロック図である。
【図１３】第２の実施形態における対象加盟店情報記憶部のデータ例を示す図である。
【図１４】第２の実施形態におけるイシュア情報記憶部のデータ例を示す図である。
【図１５】第２の実施形態におけるイシュア代行記憶部のデータ例を示す図である。
【図１６】第２の実施形態による取引システムの動作の一例を示す第１のシーケンス図である。
【図１７】第２の実施形態による取引システムの動作の一例を示す第２のシーケンス図である。
【図１８】第２の実施形態による取引システムの動作の一例を示す第３のシーケンス図である。
【図１９】第３の実施形態による取引システムの一例を示す機能ブロック図である。
【図２０】第３の実施形態による取引システムの動作の一例を示すシーケンス図である。
【図２１】第４の実施形態による取引システムの一例を示す機能ブロック図である。
【発明を実施するための形態】
【００１９】
＜実施形態＞
以下、本発明の実施形態について、図面を参照して説明する。
図１は、本発明の実施形態における取引システム１の概要を示す概要図である。図２は、本実施形態におけるデータフローの一例を示す模式図である。取引システム１の概要は以下の通りである。（１）加盟店２より第１データセンタ５にて売上データを集信する。（２）第１データセンタ５にてＮｏｔ  ｏｎ−ｕｓ分のオーソリ用データを作成し、各イシュア４へファイル伝送する。なお、図示は省略するが、第１データセンタ５は、対象のイシュア４が判別できない場合には、アクワイアラ３にファイル伝送する。（３）各イシュア４からのオーソリ結果を第１データセンタ５にて受領する。（４）第１データセンタ５にて、集信した売上データにオーソリ結果（承認番号）を付与した売上データを作成する。（５）第１データセンタ５からアクワイアラ３へオーソリ結果付与済みの売上データを配信する。
【００２０】
［変形例１］
図３は、本実施形態におけるデータフローの第１の変形例を示す模式図である。本変形例における取引システム１ａの概要は以下の通りである。（１）加盟店２より第２データセンタ６へリカーリングフラグを設定して、データ送信する。（２）各カード会社より、加盟店２からリカーリングフラグを送信された際の挙動について申込書を受領し、登録する。（３）リカーリングフラグを中継してもよいカード会社に対しては、そのまま中継する。（４）リカーリングフラグを中継してはならないカード会社は、第２データセンタ６にて編集して中継する。（５）カード会社が障害取引時には、リカーリング取引時の代行応答も可能である。（６）加盟店２は取引と一緒にリカーリング取引分の売上を第１データセンタ５ａへ送信する。（７）第１データセンタ５ａは、通常の売上取引として各アクワイアラ３（本変形例においては、カード会社）へ送信する。
【００２１】
［変形例２］
図４は、本実施形態におけるデータフローの第２の変形例を示す模式図である。本変形例における取引システム１ｂの概要は以下の通りである。（１）加盟店２より第１データセンタ５ｂにて売上データを集信する。（２）第１データセンタ５ｂにてＮｏｔ  ｏｎ−ｕｓ分のオーソリ用データを作成し、第２データセンタ６ａへ連携する。（３）第２データセンタ６ａから各イシュア４へオーソリ中継する。ここでは、イシュアダイレクト、イシュア４ごとに設定された件数で中継する。（４）各イシュア４から返信のあったオーソリ結果を付与した売上データを作成する。（５）アクワイアラ３へオーソリ結果付与済みの売上データを配信する。
【００２２】
［変形例３］
図５は、本実施形態におけるデータフローの第３の変形例を示す模式図である。本変形例における取引システム１ｃの概要は以下の通りである。（１）加盟店２より第３データセンタ８にて売上指示データを集信する。（２）第３データセンタ８にてＮｏｔ  ｏｎ−ｕｓ分のオーソリ用データを作成し、データセンタ（例えば、第２データセンタ６ａ）へ連携する。（３）データセンタから各イシュア４へオーソリ中継する。ここでは、イシュアダイレクト、イシュア４ごとに設定された件数で中継する。（４）各イシュア４から返信のあったオーソリ結果を付与した売上データを作成する。（５）アクワイアラ３へオーソリ結果付与済みの売上データを配信する。
【００２３】
［変形例４］
図６は、本実施形態におけるデータフローの第４の変形例を示す模式図である。本変形例における取引システム１ｄの概要は以下の通りである。（１）加盟店２より第１データセンタ５ｂにて売上データを集信する。（２）第１データセンタ５ｂにてＮｏｔ  ｏｎ−ｕｓ分のオーソリ用データを作成し、第２データセンタ６ａへ連携する。（３）第２データセンタ６ａから各イシュア４へオーソリ中継する。ここでは、イシュアダイレクト、イシュア４ごとに設定された件数で中継する。（３）−１  そもそもリカーリング取引電文を受信できないイシュア４は予めネガデータを第４データセンタ９へ登録する。（３）−２  予め第４データセンタ９へ登録したイシュア４分の取引が加盟店２から中継された場合は、イシュア４になり替わりネガチェックを実施する。（４）イシュア４から返信のあったオーソリ結果を付与した売上データを作成する。（５）アクワイアラ３へオーソリ結果付与済みの売上データを配信する。
【００２４】
［変形例５］
図７は、本実施形態におけるデータフローの第５の変形例を示す模式図である。本変形例における取引システム１ｅの概要は以下の通りである。（１）加盟店２より第２データセンタ６へリカーリングフラグを設定して、データ送信する。（２）アクワイアラ３から予めＢＩＮ情報を登録する。（３）電文の被仕向け先が特定のアクワイアラ３である場合、ＢＩＮ判定を実施する。（４）ＢＩＮ判定にて登録された特定のイシュア４であった場合、イシュア４へオンライン送信する。または許可応答を代行する。未登録の場合は、アクワイアラ３へ中継する。（５）第２データセンタ６で処理した取引結果をカード会社へ還元する。（６）加盟店２は取引と一緒にリカーリング取引分の売上を第１データセンタ５ａへ送信する。（７）第１データセンタ５ａは、通常の売上取引として各アクワイアラ３へ送信する。
【００２５】
以上、説明したように、本実施形態および各変形例の取引システムは、取引ごとにオーソリを取得する仕組みを有している。したがって、本実施形態および各変形例の取引システムによれば、取引ごとにオーソリを行う場合において処理が煩雑になる程度を低減することができる。
なお、上述した図４及び図５において、システムＳ１は、図２に示す実施形態におけるシステムの一部又は全部を示し、システムＳ２は、図３に示す実施形態（［変形例１］）におけるシステムの一部又は全部を示している。また、システムＳ３は、図４に示す実施形態（［変形例２］）におけるシステムの特徴となる部分を示し、システムＳ４は、図５に示す実施形態（［変形例３］）におけるシステムの特徴となる部分を示している。
【００２６】
次に、上述した実施形態について、図面を参照して詳細に説明する。
［第１の実施形態］
ここでは、図２を参照して説明した実施形態を第１の実施形態として、詳細に説明する。
図８は、第１の実施形態による取引システム１の一例を示す機能ブロック図である。
図８に示すように、取引システム１は、加盟店２と、アクワイアラ３と、イシュア４と、第１データセンタ５とを備えている。
【００２７】
加盟店２は、クレジットカードによる取引を行う加盟店業者である。なお、ここでは、加盟店２は、加盟店業者が有するコンピュータ装置を示す。加盟店２は、例えば、公共料金やプロバイダの接続料金などの定期的に課金する取引を示すリカーリングを含む売上データを第１データセンタ５に送信する。ここで、売上データには、例えば、加盟店番号などの加盟店を識別する情報、クレジットカードの会員番号、売上年月日、売上金額、承認番号などの情報が含まれる。なお、承認番号は、オーソリ結果に含まれ、加盟店２は、例えば、リカーリングによる売上データ内の承認番号に、オール“０”、又はオールスペースを挿入して、第１データセンタ５に送信する。
【００２８】
アクワイアラ３は、加盟店２とクレジットカードによる決済の加盟店契約を行う加盟店契約会社である。なお、ここでは、アクワイアラ３は、加盟店契約会社が有するコンピュータ装置を示す。
イシュア４は、クレジットカードを発行するカード発行会社である。なお、ここでは、イシュア４は、カード発行会社が有するコンピュータ装置を示す。本実施形態において、イシュア４は、オーソリ処理を実行する際に、取引ごとにオーソリ処理を実行するオンライン処理と、後述するオーソリ用データファイルにより複数の取引分のオーソリ処理を行うバッチ処理との両方を実行可能であるものとする。ここで、オーソリ処理とは、例えば、クレジットカードによる取引を許可するか否かを判定する承認処理である。イシュア４は、処理を許可する承認番号を含むオーソリ結果を送信する。なお、イシュア４は、オーソリ用データファイルによりバッチ処理する場合には、複数の取引分のオーソリ結果をファイルにしたオーソリ結果ファイルをオーソリ用データファイルの送信元である第１データセンタ５に送信する。
【００２９】
第１データセンタ５（取引装置の一例）は、例えば、ＣＤＳ（Credit Data Transfer System）などのデータ伝送システムのデータセンタである。第１データセンタ５は、例えば、１つ又は複数のコンピュータ装置により構成される。また、第１データセンタ５は、売上データ集信部５１と、アクワイアラ情報記憶部５２と、イシュアＢＩＮ情報記憶部５３と、オーソリデータ伝送部５４と、オーソリ結果受領部５５と、売上データ作成部５６と、売上データ配信部５７とを備えている。
【００３０】
売上データ集信部５１（集信部の一例）は、加盟店２からの売上データを第１データセンタ５にて集信する。
アクワイアラ情報記憶部５２は、加盟店２ごとのアクワイアラ３の識別情報を記憶する。すなわち、図９に示すように、アクワイアラ情報記憶部５２は、「加盟店」と、「アクワイアラ情報」とを関連付けて記憶する。ここで、「加盟店」は、例えば、加盟店２を識別する識別情報であり、「アクワイアラ情報」は、アクワイアラ３を識別する識別情報である。
【００３１】
図９は、本実施形態におけるアクワイアラ情報記憶部５２のデータ例を示す図である。
図９に示す例では、アクワイアラ情報記憶部５２は、例えば、「加盟店」の“Ａ加盟店”と「アクワイアラ情報」の”１１１１１“とを関連付けて記憶している。すなわち、図９に示す例は、“Ａ加盟店”である加盟店２と契約するアクワイアラ３が“１１１１１”であることを示している。
【００３２】
図８の説明に戻り、イシュアＢＩＮ情報記憶部５３は、イシュア４のＢＩＮ情報を記憶する。イシュアＢＩＮ情報記憶部５３は、例えば、図１０に示すように、「ＮＯ．」と、「ＢＩＮ情報」と、「イシュア情報」とを関連付けて記憶する。ここで、「ＢＩＮ情報」は、クレジットカードの発行会社を特定するための情報であり、図１０に示す例では、所定の範囲を持った情報として定義されている。また、「イシュア情報」は、イシュア４を識別する識別情報である。
【００３３】
図１０は、本実施形態におけるイシュアＢＩＮ情報記憶部５３のデータ例を示す図である。
図１０に示す例では、イシュアＢＩＮ情報記憶部５３は、例えば、「ＢＩＮ情報」の“１０００００ＸＸ〜１９９９９ＸＸ”に関連付けて「イシュア情報」の“１１１１１”を記憶している。すなわち、「ＢＩＮ情報」が“１０００００ＸＸ〜１９９９９ＸＸ”に対応する「イシュア情報」が“１１１１１”であることを示している。
【００３４】
再び、図８の説明に戻り、オーソリデータ伝送部５４（転送部の一例）は、第１データセンタ５にて、売上データ集信部５１が集信した売上データのうち、Ｎｏｔ  ｏｎ−ｕｓ分のオーソリ用データを作成し、作成したオーソリ用データを各イシュア４に転送する。ここで、Ｎｏｔ  ｏｎ−ｕｓとは、イシュア４とアクワイアラ３とが同一でない場合の取引を示す。すなわち、オーソリデータ伝送部５４は、イシュア４とアクワイアラ３とが同一でない取引分の売上データを抽出し、抽出した売上データのオーソリ用データを作成する。そして、オーソリデータ伝送部５４は、作成したＮｏｔ  ｏｎ−ｕｓ分のオーソリ用データを各イシュア４にファイルにして転送する。なお、オーソリデータ伝送部５４は、対象のイシュア４が判別できない場合には、オーソリ用データをアクワイアラ３にファイルにして転送する。
【００３５】
例えば、オーソリデータ伝送部５４は、アクワイアラ情報記憶部５２から取得したアクワイアラ３の識別情報と、売上データに含まれる会員番号に対応するイシュア情報とに基づいて、Ｎｏｔ  ｏｎ−ｕｓ分のオーソリ用データを作成する。すなわち、オーソリデータ伝送部５４は、売上データのうち、アクワイアラ３の識別情報と、イシュア情報とが一致しないものを、Ｎｏｔ  ｏｎ−ｕｓとして抽出する。
例えば、売上データが、“Ａ加盟店”のものである場合に、図９に示す例では、「加盟店」が“Ａ加盟店”に対応する「アクワイアラ情報」は、“１１１１１”である。また、売上データの会員番号に含まれるＢＩＮ情報が“１５０００ＸＸ”である場合に、図１０に示す例では、「ＢＩＮ情報」の“１５０００ＸＸ”に対応する「イシュア情報」は、“１１１１１”である。この場合、「アクワイアラ情報」の“１１１１１”と、「イシュア情報」の“１１１１１”とが一致するので、オーソリデータ伝送部５４は、当該売上データをＮｏｔ  ｏｎ−ｕｓでないと判定する。
【００３６】
また、売上データの会員番号に含まれるＢＩＮ情報が“２５０００ＸＸ”である場合に、図１０に示す例では、「ＢＩＮ情報」の“２５０００ＸＸ”に対応する「イシュア情報」は、“２２２２２”である。この場合、「アクワイアラ情報」の“１１１１１”と、「イシュア情報」の“２２２２２”とが一致しないので、オーソリデータ伝送部５４は、当該売上データをＮｏｔ  ｏｎ−ｕｓであると判定する。
【００３７】
このように、オーソリデータ伝送部５４は、Ｎｏｔ  ｏｎ−ｕｓ分の売上データを抽出し、オーソリ用データを作成する。
また、オーソリデータ伝送部５４は、作成したオーソリ用データの所定の取引分をイシュア４ごとにオーソリ用データファイルにして、各イシュア４にアクワイアラ３を介さずに直接転送する。なお、オーソリデータ伝送部５４は、対象のイシュア４が判別できない場合には、オーソリ用データをアクワイアラ３にファイルにして伝送する。
【００３８】
オーソリ結果受領部５５（受領部の一例）は、各イシュア４からのオーソリ結果を第１データセンタ５にて受領する。すなわち、オーソリ結果受領部５５は、承認番号を含むオーソリ結果を各イシュア４から受領する。なお、オーソリデータ伝送部５４が送付したオーソリ用データファイルに対しては、各イシュア４からオーソリ結果ファイルを受領する。また、オーソリ結果には、オーソリ処理を実行した年月日を示す情報を含んでもよい。
【００３９】
売上データ作成部５６は、第１データセンタ５にて売上データ集信部５１が集信した売上データにオーソリ結果を付与した売上データを作成する。例えば、売上データ作成部５６は、売上データの承認番号に、オーソリ結果受領部５５が受領したオーソリ結果に含まれる承認番号を代入して、オーソリ結果を付与した売上データを作成する。なお、売上データ作成部５６は、売上データの売上年月日を、オーソリ処理を実行した年月日（オーソリ実行年月日）に変更してもよい。
【００４０】
売上データ配信部５７（配信部の一例）は、第１データセンタ５にて、オーソリ結果を付与した売上データ（オーソリ結果付与済みの売上データ）をアクワイアラ３に配信する。すなわち、売上データ配信部５７は、売上データ作成部５６が作成したオーソリ結果付与済みの売上データを対象のアクワイアラ３に配信する。
また、売上データ配信部５７は、オーソリ結果受領部５５が受領したオーソリ結果を加盟店２に配信する。
【００４１】
次に、図１１を参照して、本実施形態による取引システム１の動作について説明する。
図１１は、本実施形態による取引システム１の動作の一例を示すシーケンス図であえる。
この図において、まず、加盟店２が売上データを第１データセンタ５に送信する（ステップＳ１０１）。ここで、売上データは、リカーリングによる売上データである。第１データセンタ５の売上データ集信部５１は、加盟店２からの売上データを集信する。
【００４２】
次に、第１データセンタ５は、オーソリ用データを作成する（ステップＳ１０２）。すなわち、第１データセンタ５のオーソリデータ伝送部５４は、アクワイアラ情報記憶部５２から取得したアクワイアラ３の識別情報と、売上データに含まれる会員番号に対応するイシュア情報とに基づいて、Ｎｏｔ  ｏｎ−ｕｓ分のオーソリ用データを作成する。また、オーソリデータ伝送部５４は、オーソリ用データのファイル（オーソリ用データファイル）を作成する。
【００４３】
次に、オーソリデータ伝送部５４は、作成したオーソリ用データファイルをイシュア４に転送する（ステップＳ１０３）。なお、オーソリデータ伝送部５４は、対象のイシュア４が判別できない場合には、オーソリ用データをアクワイアラ３にファイルにして転送する。
【００４４】
次に、イシュア４は、オーソリ処理を実行する（ステップＳ１０４）。すなわち、イシュア４は、取得したオーソリ用データファイルにより、バッチ処理により各取引のオーソリ処理を実行する。
【００４５】
次に、イシュア４は、オーソリ結果ファイルを第１データセンタ５に送信する（ステップＳ１０５）。そして、第１データセンタ５のオーソリ結果受領部５５が、オーソリ結果ファイルを受領する。
【００４６】
次に、第１データセンタ５の売上データ作成部５６は、売上データ集信部５１が集信した売上データにオーソリ結果を付与した売上データを作成する（ステップＳ１０６）。売上データ作成部５６は、例えば、売上データの承認番号及び売上年月日に、オーソリ結果受領部５５が受領したオーソリ結果に含まれる承認番号及びオーソリ実行年月日を代入して、オーソリ結果を付与した売上データを作成する。
【００４７】
次に、第１データセンタ５の売上データ配信部５７は、オーソリ結果付き売上データをアクワイアラ３に配信する（ステップＳ１０７）。売上データ配信部５７は、例えば、オーソリ結果付き売上データをファイルにして、アクワイアラ３に配信する。
また、売上データ配信部５７は、オーソリ結果を加盟店２に送信する（ステップＳ１０８）。
【００４８】
以上説明したように、本実施形態による取引システム１（又は取引装置）は、売上データ集信部５１（集信部）と、オーソリデータ伝送部５４（転送部）と、オーソリ結果受領部５５（受領部）と、売上データ作成部５６と、売上データ配信部５７（配信部）とを備えている。売上データ集信部５１は、加盟店２からの売上データを第１データセンタ５にて集信する。オーソリデータ伝送部５４は、第１データセンタ５にて、イシュア４とアクワイアラ３とが同一でないＮｏｔ  ｏｎ−ｕｓ分のオーソリ用データを作成する。オーソリデータ伝送部５４は、作成したオーソリ用データを各イシュア４に転送する。オーソリ結果受領部５５は、各イシュア４からのオーソリ結果を第１データセンタ５にて受領する。売上データ作成部５６は、第１データセンタ５にて売上データ集信部５１が集信した売上データにオーソリ結果を付与した売上データを作成する。そして、売上データ配信部５７（配信部）は、第１データセンタ５にて、オーソリ結果を付与した売上データをアクワイアラ３に配信する。
【００４９】
これにより、本実施形態による取引システム１（又は取引装置）は、第１データセンタ５にて、売上データからオーソリ用データを作成し、作成したオーソリ用データを、アクワイアラ３を介さずに各イシュア４に転送するので、オーソリ処理に関する加盟店２及びアクワイアラ３による処理を低減することができる。すなわち、本実施形態による取引システム１は、例えば、リカーリングによる取引などが大量に発生した場合であっても、加盟店２及びアクワイアラ３による処理を低減することができる。よって、本実施形態による取引システム１は、取引ごとにオーソリを行う場合において処理が煩雑になる程度を低減することができる。
【００５０】
また、本実施形態では、オーソリデータ伝送部５４は、加盟店２ごとのアクワイアラ３の識別情報を記憶するアクワイアラ情報記憶部５２（記憶部）から取得したアクワイアラ３の識別情報と、売上データに含まれる会員番号に対応するイシュア情報とに基づいて、Ｎｏｔ  ｏｎ−ｕｓ分のオーソリ用データを作成する。オーソリデータ伝送部５４は、作成したオーソリ用データをファイルにして各イシュア４に転送する。オーソリ結果受領部５５は、オーソリ結果をファイルにて、各イシュア４から受領する。
これにより、オーソリ用データ及びオーソリ結果をファイルにより転送するので、本実施形態による取引システム１は、第１データセンタ５と各イシュア４との間のネットワークの負荷を低減することができる。また、オーソリ用データをファイルにし、複数の取引を一括してオーソリ処理することにより、イシュア４のバッチ処理が可能になるので、本実施形態による取引システム１は、イシュア４の処理が煩雑になる程度を低減することができる。
【００５１】
また、本実施形態による処理方法は、集信ステップと、転送ステップと、受領ステップと、売上データ作成ステップと、配信ステップとを含んでいる。集信ステップにおいて、加盟店２からの売上データを第１データセンタ５にて集信する。転送ステップにおいて、第１データセンタ５にて、イシュア４とアクワイアラ３とが同一でないＮｏｔ  ｏｎ−ｕｓ分のオーソリ用データを作成し、作成したオーソリ用データを各イシュア４に転送する。受領ステップにおいて、各イシュア４からのオーソリ結果を第１データセンタ５にて受領する。売上データ作成ステップにおいて、第１データセンタ５にて集信ステップにおいて集信した売上データにオーソリ結果を付与した売上データを作成する。配信ステップにて、第１データセンタ５にて、オーソリ結果を付与した売上データをアクワイアラ３に配信する。
これにより、本実施形態による処理方法は、上述した本実施形態による取引システム１と同様に、取引ごとにオーソリを行う場合において処理が煩雑になる程度を低減することができる。
【００５２】
次に、第２の実施形態による取引システムについて、図面を参照して説明する。
［第２の実施形態］
ここでは、図３を参照して説明した上述の［変形例１］を第２の実施形態として、詳細に説明する。
【００５３】
図１２は、第２の実施形態による取引システム１ａの一例を示す機能ブロック図である。
図１２に示すように、取引システム１ａは、加盟店２と、イシュア４（アクワイアラ３）と、第１データセンタ５ａと、第２データセンタ６と、代行センタ７と、専用サーバ１０とを備えている。
なお、上述した第１の実施形態では、第１データセンタ５が、売上データからオーソリ用データを作成し、作成したオーソリ用データを、アクワイアラ３を介さずにイシュア４に転送したが、本実施形態では、第２データセンタ６が、アクワイアラ３を介さずにイシュア４にオーソリ用データを中継する。
【００５４】
本実施形態による加盟店２は、売上データからＮｏｔ  ｏｎ−ｕｓのオーソリ用データを生成し、生成したオーソリ用データを第２データセンタ６に送信する。なお、加盟店２は、オーソリ用データを、リカーリングによる取引であるか否かを識別する識別子であるリカーリングフラグ（以下、Ｒフラグという）を付加して生成する。
また、加盟店２は、売上データにオーソリ結果を付与して、第１データセンタ５ａに送信する。
第１データセンタ５ａは、オーソリ結果付与済み売上データを加盟店２から受信し、オーソリ結果付与済み売上データをアクワイアラ３に転送する。
【００５５】
第２データセンタ６（取引装置の一例）は、例えば、ＣＡＦＩＳ（Credit And Finance Information System）などのカード決済総合システム（オーソリ転送システム）のデータセンタである。第２データセンタ６は、例えば、１つ又は複数のコンピュータ装置により構成される。また、第２データセンタ６は、イシュア４に応じて、上述したＲフラグが付加されたオーソリ用データを中継するか否かを判定し、Ｒフラグに対応しているイシュア４に対して、Ｒフラグが付加されたオーソリ用データを中継する。
また、第２データセンタ６は、Ｒフラグに対応していないイシュア４に対して、Ｒフラグを付加しないオーソリ用データを中継する。また、第２データセンタ６は、オーソリ処理の代行に対応するイシュア４（対象イシュア）に対して、オーソリ用データを代行センタ７に送信する。
【００５６】
また、第２データセンタ６は、イシュア４が、例えば、ＣＡＦＩＳ以外の他のオーソリ転送システムＴＳ１によるオーソリ用データの転送を希望する場合に、当該オーソリ転送システムＴＳ１用のフォーマットにオーソリ用データを変換する。第２データセンタ６は、変換したオーソリ用データを当該オーソリ転送システムＴＳ１の専用サーバ１０を介して、当該オーソリ転送システムＴＳ１によりイシュア４に転送する。
また、第２データセンタ６は、オーソリ結果を受信し、受信したオーソリ結果を加盟店２に送信する。
また、第２データセンタ６は、オーソリデータ取得部６１と、対象加盟店情報記憶部６２と、イシュア情報記憶部６３と、イシュア代行記憶部６４と、オーソリ中継部６５とを備えている。
【００５７】
オーソリデータ取得部６１（取得部の一例）は、加盟店２からオーソリ用データを第２データセンタ６にて取得する。ここでは、一例として、オーソリデータ取得部６１は、加盟店２からＲフラグ付きのオーソリ用データを取得する。
【００５８】
対象加盟店情報記憶部６２は、リカーリングの対象の加盟店２を示す対象加盟店情報を記憶する。対象加盟店情報記憶部６２は、例えば、図１３に示すように、「対象加盟店」と、「加盟店識別情報」と、「イシュア判定不可時の中継先情報」とを関連付けて記憶する。ここで、「対象加盟店」は、リカーリングの対象となる加盟店を示し、「加盟店識別情報」は、対象加盟店を識別する識別情報を示す。また、「イシュア判定不可時の中継先情報」は、後述するイシュア判定処理により、転送先のイシュア４を判定できなかった場合に、中継先となるイシュア４（例えば、対象加盟店と契約しているアクワイアラ３）の識別情報である。
【００５９】
図１３は、本実施形態における対象加盟店情報記憶部６２のデータ例を示す図である。
図１３に示す例では、対象加盟店情報記憶部６２は、例えば、「対象加盟店」の“Ａ加盟店”と、「加盟店識別情報」の“ＸＸＸＸＸ”と、「イシュア判定不可時の中継先情報」の”１１１１１“とを関連付けて記憶している。すなわち、図１３に示す例は、リカーリング対象の“Ａ加盟店”の「加盟店識別情報」が“ＸＸＸＸＸ”であり、契約するアクワイアラ３が“１１１１１”であることを示している。
【００６０】
図１２の説明に戻り、イシュア情報記憶部６３は、イシュア４を判定するイシュア判定情報を記憶する。イシュア情報記憶部６３は、例えば、図１４に示すように、「ＮＯ．」と、「ＢＩＮ情報」と、「イシュア情報」とを関連付けてイシュア判定情報として記憶する。ここで、「ＢＩＮ情報」は、クレジットカードの発行会社を特定するための情報であり、図１４に示す例では、所定の範囲を持った情報として定義されている。また、「イシュア情報」は、Ｒフラグを付加する対象のイシュア４を識別する識別情報である。イシュア判定情報は、アクワイアラ３からの申請により、予めイシュア情報記憶部６３に記憶されている。
【００６１】
図１４は、本実施形態におけるイシュア情報記憶部６３のデータ例を示す図である。
図１４に示す例では、イシュア情報記憶部６３は、例えば、「ＢＩＮ情報」の“１０００００ＸＸ〜１９９９９ＸＸ”に関連付けて「イシュア情報」の“１１１１１”を記憶している。すなわち、「ＢＩＮ情報」が“１０００００ＸＸ〜１９９９９ＸＸ”に対応する「イシュア情報」が“１１１１１”であることを示している。
【００６２】
再び、図１２の説明に戻り、イシュア代行記憶部６４は、オーソリ処理を代行するイシュア４の識別情報を示すイシュア代行情報を記憶する。イシュア代行記憶部６４は、例えば、図１５に示すように、「ＮＯ．」と、「イシュア情報」とを関連付けて記憶する。ここで、「イシュア情報」は、オーソリ処理を代行する対象イシュアの識別情報である。すなわち、イシュア代行記憶部６４は、オーソリ処理を代行する対象イシュアの識別情報の一覧（リスト）を記憶する。
【００６３】
図１５は、本実施形態におけるイシュア代行記憶部６４のデータ例を示す図である。
図１５に示す例では、イシュア代行記憶部６４は、例えば、オーソリ処理を代行する対象イシュアの「イシュア情報」のリストが、“１１１１１”、“２２２２２”、・・・であることを示している。
【００６４】
再び、図１２の説明に戻り、オーソリ中継部６５（転送部の一例）は、第２データセンタ６にて、対象加盟店情報記憶部６２が記憶する対象加盟店情報と、イシュア情報記憶部６３が記憶するイシュア判定情報とに基づいて、Ｒフラグ（リカーリング識別子）が付加されたオーソリ用データを転送するイシュア４を判定する。オーソリ中継部６５は、オーソリデータ取得部６１が取得したオーソリ用データのうちの、判定した当該イシュア４に対応するＲフラグが付加されたオーソリ用データを当該イシュア４に転送する。
【００６５】
例えば、オーソリ中継部６５は、オーソリ用データに含まれる加盟店識別情報が、対象加盟店情報記憶部６２に対象加盟店として登録されているか否かを判定する。オーソリ中継部６５は、対象加盟店として登録されている場合に、次のイシュア判定処理を実行する。また、オーソリ中継部６５は、対象加盟店として登録されていない場合に、オーソリ用データを編集せずに、そのまま中継する。
【００６６】
また、オーソリ中継部６５は、イシュア判定処理において、オーソリ用データに含まれるＢＩＮ情報が、イシュア情報記憶部６３が記憶する「ＢＩＮ情報」と一致するか否かに応じて、「ＢＩＮ情報」に対応する「イシュア情報」を判定する。オーソリ中継部６５は、該当する「ＢＩＮ情報」があった場合に、対応する「イシュア情報」の示すイシュア４に、代行判定処理を実行する。また、オーソリ中継部６５は、該当する「ＢＩＮ情報」がなかった場合に、再度、対象加盟店情報記憶部６２を検索し、該当する加盟店識別情報に対応する「イシュア判定不可時の中継先情報」に対応するイシュア４（アクワイアラ３）にオーソリ用データを中継する。
【００６７】
また、オーソリ中継部６５は、代行判定処理において、イシュア判定処理で判定した「イシュア情報」が、イシュア代行記憶部６４に存在するか否かを判定する。オーソリ中継部６５は、該当する「イシュア情報」がイシュア代行記憶部６４に存在する場合に、Ｒフラグが付加されたオーソリ用データを代行センタ７に中継する。すなわち、オーソリ中継部６５は、イシュア代行記憶部６４が記憶するイシュア代行情報に基づいて、オーソリ処理を代行する対象イシュアを抽出し、当該対象イシュアに対応する当該オーソリ用データを、代行センタ７に送信する。
また、オーソリ中継部６５は、代行判定処理において、該当する「イシュア情報」がイシュア代行記憶部６４に存在しない場合に、代行判定処理において判定したイシュア４にダイレクトに中継するように、Ｒフラグが付加されたオーソリ用データを編集して、当該イシュア４に中継する。
【００６８】
また、オーソリ中継部６５は、送信先（仕向け先）のイシュア４が、他のオーソリ転送システムＴＳ１によるオーソリ用データの転送を希望する場合に、当該オーソリ転送システムＴＳ１用のフォーマットにオーソリ用データを変換する。オーソリ中継部６５は、変換したオーソリ用データを、専用サーバ１０を介して当該オーソリ転送システムＴＳ１によりイシュア４に転送する。なお、オーソリ中継部６５は、他のオーソリ転送システムＴＳ１によるオーソリ用データの転送を希望するか否かの判定を、不図示の記憶部に予め記憶されているオーソリ転送システムＴＳ１による転送を希望するイシュア４の一覧（リスト）に基づいて判定する。
このように、オーソリ中継部６５は、Ｒフラグが付加されたオーソリ用データを転送すると判定したイシュア４のうち、イシュア４によって予め指定されたオーソリ用データのオーソリ転送システムＴＳ１に対応したデータフォーマットに、Ｒフラグが付加されたオーソリ用データを変換する。そして、オーソリ中継部６５は、変換した当該オーソリ用データを、指定されたオーソリ用データのオーソリ転送システムＴＳ１を介して、イシュア４に転送する。
【００６９】
代行センタ７は、オーソリ処理を代行する。代行センタ７は、第２データセンタ６から中継されたオーソリ用データに基づいて、オーソリ処理を代行し、オーソリ結果を第２データセンタ６に送信する。また、代行センタ７は、代行してオーソリ処理したオーソリ結果をイシュア４に送信する。
また、各イシュア４は、第２データセンタ６から中継されたオーソリ用データに基づいて、オーソリ処理を実行し、オーソリ結果を第２データセンタ６に送信する。
【００７０】
次に、図１６〜図１８を参照して、本実施形態による取引システム１ａの動作について説明する。
図１６は、本実施形態による取引システム１ａの動作の一例を示す第１のシーケンス図である。この図に示す例は、第２データセンタ６が、Ｒフラグが付加されたオーソリ用データに対応するイシュア４に、オーソリ用データに中継する場合の一例を示している。
【００７１】
図１６において、まず、加盟店２が、Ｒフラグ付きオーソリ用データを第２データセンタ６に送信する（ステップＳ２０１）。これに応じて、第２データセンタ６のオーソリデータ取得部６１は、加盟店２からオーソリ用データを第２データセンタ６にて取得する。
次に、第２データセンタ６のオーソリ中継部６５は、取得したオーソリ用データと、対象加盟店情報記憶部６２が記憶する対象加盟店情報と、イシュア情報記憶部６３が記憶するイシュア判定情報とに基づいて、Ｒフラグ付きオーソリ用データを転送するイシュア４を判定する（ステップＳ２０２）。
【００７２】
次に、オーソリ中継部６５は、イシュア判定したイシュア４に、Ｒフラグ付きオーソリ用データを送信する（ステップＳ２０３）。
次に、イシュア４は、オーソリ処理を実行する（ステップＳ２０４）。すなわち、イシュア４は、取得したＲフラグ付きオーソリ用データにより、オーソリ処理を実行する。なお、リカーリングによる取引である場合、一般に、オーソリ処理において、クレジットカードの有効期限の判定を行わない、通常とは異なるオーソリ処理を行っている。イシュア４は、Ｒフラグに基づいて、オーソリ処理において、クレジットカードの有効期限の判定を行うか否かを判定する。
【００７３】
次に、イシュア４は、オーソリ結果を第２データセンタ６に送信し（ステップＳ２０５）、第２データセンタ６は、受信したオーソリ結果を加盟店２に中継する（ステップＳ２０６）。
次に、加盟店２は、売上データにオーソリ結果を付与した売上データを作成する（ステップＳ２０７）。そして、加盟店２は、オーソリ結果付き売上データを第１データセンタ５ａに送信し（ステップＳ２０８）、第１データセンタ５ａは、オーソリ結果付き売上データをアクワイアラ３に配信する（ステップＳ２０９）。
【００７４】
また、図１７は、本実施形態による取引システム１ａの動作の一例を示す第２のシーケンス図である。この図に示す例は、第２データセンタ６が、Ｒフラグが付加されたオーソリ用データを代行センタ７に中継する場合の一例を示している。
【００７５】
図１７において、まず、加盟店２が、Ｒフラグ付きオーソリ用データを第２データセンタ６に送信する（ステップＳ３０１）。これに応じて、第２データセンタ６のオーソリデータ取得部６１は、加盟店２からオーソリ用データを第２データセンタ６にて取得する。
次に、第２データセンタ６のオーソリ中継部６５は、イシュア判定及び代行判定処理を実行する（ステップＳ３０２）。すなわち、オーソリ中継部６５は、取得したオーソリ用データと、対象加盟店情報記憶部６２が記憶する対象加盟店情報と、イシュア情報記憶部６３が記憶するイシュア判定情報とに基づいて、Ｒフラグ付きオーソリ用データを転送するイシュア４を判定する。この図に示す例では、オーソリ中継部６５は、さらに、イシュア代行記憶部６４が記憶するイシュア代行情報に基づいて、代行判定処理を実行し、代行センタ７に中継すると判定する。
【００７６】
次に、オーソリ中継部６５は、Ｒフラグ付きオーソリ用データを代行センタ７に送信する（ステップＳ３０３）。
次に、代行センタ７は、オーソリ処理を代行し（ステップＳ３０４）、オーソリ結果を第２データセンタ６に送信し（ステップＳ３０５）、第２データセンタ６は、受信したオーソリ結果を加盟店２に中継する（ステップＳ３０６）。
【００７７】
続く、ステップＳ３０７からステップＳ３０９の処理は、図１６のステップＳ２０７からステップＳ２０９の処理と同様であるので、ここではその説明を省略する。
【００７８】
また、図１８は、本実施形態による取引システム１ａの動作の一例を示す第３のシーケンス図である。この図に示す例は、第２データセンタ６が、オーソリ用データをオーソリ用データのオーソリ転送システムＴＳ１を介して、イシュア４に中継する場合の一例を示している。
【００７９】
図１８において、まず、加盟店２が、Ｒフラグ付きオーソリ用データを第２データセンタ６に送信する（ステップＳ４０１）。これに応じて、第２データセンタ６のオーソリデータ取得部６１は、加盟店２からオーソリ用データを第２データセンタ６にて取得する。
次に、第２データセンタ６のオーソリ中継部６５は、イシュア判定及び変換処理を実行する（ステップＳ４０２）。すなわち、オーソリ中継部６５は、取得したオーソリ用データと、対象加盟店情報記憶部６２が記憶する対象加盟店情報と、イシュア情報記憶部６３が記憶するイシュア判定情報とに基づいて、Ｒフラグ付きオーソリ用データを転送するイシュア４を判定する。オーソリ中継部６５は、さらに、イシュア４がオーソリ転送システムＴＳ１による転送が指定されているか否かを判定する。なお、この図に示す例では、オーソリ中継部６５は、イシュア４が、オーソリ転送システムＴＳ１による転送が指定されている場合を示している。そのため、オーソリ中継部６５は、オーソリ用データをオーソリ転送システムＴＳ１用のフォーマットに変換する。
【００８０】
次に、オーソリ中継部６５は、変換したオーソリ用データを専用サーバ１０に送信する（ステップＳ４０３）。
次に、専用サーバ１０は、オーソリ転送システムＴＳ１を介して、オーソリ用データをイシュア４に送信する（ステップＳ４０４）。
【００８１】
次に、イシュア４は、オーソリ処理を実行し（ステップＳ４０５）、オーソリ転送システムＴＳ１を介して、オーソリ結果を専用サーバ１０に送信する（ステップＳ４０６）。そして、専用サーバ１０は、オーソリ結果を第２データセンタ６に中継し（ステップＳ４０７）、第２データセンタ６は、受信したオーソリ結果を加盟店２に中継する（ステップＳ４０８）。
【００８２】
続く、ステップＳ４０９からステップＳ４１１の処理は、図１６に示すステップＳ２０７からステップＳ２０９の処理と同様であるので、ここではその説明を省略する。
【００８３】
なお、上述した本実施形態の一例では、加盟店２がオーソリ用データにＲフラグを付加して、第２データセンタ６に送信する例を説明したが、第２データセンタ６のオーソリ中継部６５がＲフラグを付加してもよい。この場合、オーソリ中継部６５は、Ｒフラグが付加されたオーソリ用データを転送すると判定したイシュア４に対して、オーソリ用データにＲフラグを付加して中継する。また、加盟店２が、売上データからＮｏｔ  ｏｎ−ｕｓのオーソリ用データを生成する例を説明したが、第２データセンタ６がＮｏｔ  ｏｎ−ｕｓのオーソリ用データを生成してもよい。
また、本実施形態の取引システム１ａは、加盟店２に応じて、加盟店２がＲフラグを付加する場合と、第２データセンタ６がＲフラグを付加する場合とが混在するようにしてもよい。
【００８４】
以上説明したように、本実施形態による取引システム１ａ（又は取引装置）は、オーソリデータ取得部６１（取得部）と、対象加盟店情報記憶部６２と、イシュア情報記憶部６３と、オーソリ中継部６５（転送部）とを備えている。対象加盟店情報記憶部６２は、対象の加盟店２を示す対象加盟店情報を記憶する。イシュア情報記憶部６３は、イシュア４を判定するイシュア判定情報を記憶する。オーソリデータ取得部６１は、加盟店２からオーソリ用データを第２データセンタ６にて取得する。オーソリ中継部６５は、第２データセンタ６にて、対象加盟店情報記憶部６２が記憶する対象加盟店情報と、イシュア情報記憶部６３が記憶するイシュア判定情報とに基づいて、定期的に課金する取引を示すリカーリングを識別するＲフラグが付加されたオーソリ用データを転送するイシュア４を判定する。オーソリ中継部６５は、オーソリデータ取得部６１が取得したオーソリ用データのうちの、判定した当該イシュア４に対応するＲフラグが付加されたオーソリ用データを当該イシュア４に転送する。
【００８５】
これにより、本実施形態による取引システム１ａ（又は取引装置）は、Ｒフラグが付加されたオーソリ用データを、対応可能なイシュア４に中継するので、イシュア４が、Ｒフラグに基づいて、リカーリングの取引用のオーソリ処理を適切に実行することができる。そのため、本実施形態による取引システム１ａは、イシュア４のリカーリングの取引に対するオーソリ処理による処理負荷を低減することができる。また、第２データセンタ６は、オーソリ用データ及びオーソリ結果を、アクワイアラ３を介さずに各イシュア４と直接中継するので、アクワイアラ３による処理を低減することができる。よって、本実施形態による取引システム１ａは、取引ごとにオーソリを行う場合において処理が煩雑になる程度を低減することができる。
【００８６】
また、本実施形態による取引システム１ａは、オーソリ用データに基づくオーソリ処理を代行するイシュアの識別情報を示すイシュア代行情報を記憶するイシュア代行記憶部６４を備えている。オーソリ中継部６５は、イシュア代行記憶部６４が記憶するイシュア代行情報に基づいて、オーソリ処理を代行する対象イシュアを抽出する。オーソリ中継部６５は、オーソリデータ取得部６１が取得したオーソリ用データのうちの、当該対象イシュアに対応する当該オーソリ用データを、オーソリ処理を代行する代行センタ７に送信する。
これにより、本実施形態による取引システム１ａは、イシュア４のオーソリ処理による処理負荷をさらに低減することができる。
【００８７】
また、本実施形態では、オーソリ中継部６５は、Ｒフラグが付加されたオーソリ用データを転送すると判定したイシュア４のうち、イシュア４によって予め指定されたオーソリ用データのオーソリ転送システムＴＳ１に対応したデータフォーマットに、リカーリング識別子が付加されたオーソリ用データを変換する。オーソリ中継部６５は、変換した当該オーソリ用データを、指定されたオーソリ用データのオーソリ転送システムＴＳ１を介して、イシュア４に転送する。
本実施形態による取引システム１ａは、イシュア４の要望に応じて、複数の転送システムのうちから、転送システムを選択することが可能になる。また、様々な転送システムに対応させることが可能になるので、本実施形態による取引システム１ａは、利便性を向上させることができる。
【００８８】
また、本実施形態では、オーソリ中継部６５は、オーソリデータ取得部６１が取得したオーソリ用データのうちの、Ｒフラグが付加されたオーソリ用データを転送すると判定したイシュア４に対応する当該オーソリ用データにリカーリング識別子を付加する。
これにより、本実施形態による取引システム１ａは、Ｒフラグを付加しない場合にも対応することができる。また、本実施形態による取引システム１ａは、加盟店２による処理を低減することができる。
【００８９】
また、本実施形態による処理方法は、上述した対象加盟店情報記憶部６２と、イシュア情報記憶部６３とを備える取引システム１ａの処理方法であって、取得ステップと、転送ステップとを含んでいる。取得ステップにおいて、加盟店２からオーソリ用データを第２データセンタ６にて取得する。転送ステップにおいて、第２データセンタ６にて、対象加盟店情報記憶部６２が記憶する対象加盟店情報と、イシュア情報記憶部６３が記憶するイシュア判定情報とに基づいて、定期的に課金する取引を示すリカーリングを識別するリカーリング識別子が付加されたオーソリ用データを転送するイシュア４を判定する。さらに、中継ステップでは、取得ステップにおいて取得したオーソリ用データのうちの、当該イシュア４に対応するリカーリング識別子が付加されたオーソリ用データを当該イシュア４に転送する。
これにより、本実施形態による処理方法は、上述した本実施形態による取引システム１ａと同様に、取引ごとにオーソリを行う場合において処理が煩雑になる程度を低減することができる。
【００９０】
次に、第３の実施形態による取引システムについて、図面を参照して説明する。
［第３の実施形態］
ここでは、図４を参照して説明した上述の［変形例２］を第３の実施形態として、詳細に説明する。
【００９１】
図１９は、第３の実施形態による取引システム１ｂの一例を示す機能ブロック図である。
図１９に示すように、取引システム１ｂは、加盟店２と、イシュア４と、アクワイアラ３と、第１データセンタ５ｂと、第２データセンタ６ａとを備えている。
なお、この図において、図８に示す構成と同一の構成については同一の符号を付し、その説明を省略する。
【００９２】
本実施形態では、第１データセンタ５ｂとイシュア４との間に、第２データセンタ６ａを備え、第２データセンタ６ａを経由してオーソリ用データ及びオーソリ結果をオンライン処理により転送する点が、第１の実施形態と異なる。
【００９３】
第１データセンタ５ｂは、第１の実施形態における第１データセンタ５と基本的な機能が同様であるが、オーソリ用データファイルの代わりに、取引ごとのオーソリ用データを第２データセンタ６ａに転送する点が異なる。
また、第１データセンタ５ｂは、売上データ集信部５１と、アクワイアラ情報記憶部５２と、イシュアＢＩＮ情報記憶部５３と、オーソリデータ伝送部５４ａと、オーソリ結果受領部５５と、売上データ作成部５６とを備えている。
【００９４】
オーソリデータ伝送部５４ａは、第１データセンタ５にて、売上データ集信部５１が集信した売上データのうち、Ｎｏｔ  ｏｎ−ｕｓ分のオーソリ用データを作成し、作成したオーソリ用データを、第２データセンタ６ａを介して各イシュア４に転送する。
【００９５】
第２データセンタ６ａ（中継センタの一例）は、第２の実施形態における第２データセンタ６と基本的な機能が同様であるが、オーソリ用データをイシュア４に転送する場合に、所定のルールに基づいて、オーソリ用データの転送量を調整し、オーソリ用データをイシュア４に中継する点が異なる。ここで、所定のルールとは、例えば、ネットワークに余裕がある時間帯（例えば、夜間など）に、第２データセンタ６ａからイシュア４に中継したり、オーソリ結果のレスポンス時間に応じてオーソリ用データのイシュア４への中継間隔を変更したりなどである。第２データセンタ６ａは、所定のルールに基づいて、イシュア４との間のネットワーク負荷及びイシュア４の処理負荷が所定の値を超えないように、オーソリ用データの中継を調整する。
また、第２データセンタ６ａは、オーソリデータ取得部６１と、対象加盟店情報記憶部６２と、イシュア情報記憶部６３と、イシュア代行記憶部６４と、オーソリ中継部６５ａとを備えている。
【００９６】
オーソリ中継部６５ａは、第２の実施形態におけるオーソリ中継部６５と同様の機能を有するとともに、上述した所定のルールに基づいて、オーソリ用データの中継を調整する。オーソリ中継部６５ａは、例えば、イシュア４ごとに設定された件数により、オーソリ用データを中継するようにしてもよい。
【００９７】
なお、本実施形態において、第２の実施形態と同様に、Ｒフラグをオーソリ用データに付加してもよい。また、Ｒフラグをオーソリ用データに付加する場合、第１データセンタ５ｂが、オーソリ用データにＲフラグを付加するようにしてもよいし、第２データセンタ６ａが、オーソリ用データにＲフラグを付加するようにしてもよい。
また、図示を省略するが、第２データセンタ６ａは、第２の実施形態と同様に、代行センタ７に対応させてもよいし、他のオーソリ転送システムＴＳ１を経由して、イシュア４にオーソリ用データを送信するようにしてもよい。
【００９８】
次に、図２０を参照して、本実施形態による取引システム１ｂの動作について説明する。
図２０は、本実施形態による取引システム１ｂの動作の一例を示すシーケンス図である。この図に示す例は、第２データセンタ６ａが、Ｒフラグが付加されたオーソリ用データに対応するイシュア４に、オーソリ用データに中継する場合の一例を示している。
【００９９】
図２０において、まず、加盟店２が売上データを第１データセンタ５ｂに送信する（ステップＳ５０１）。ここで、売上データは、リカーリングによる売上データである。第１データセンタ５ｂの売上データ集信部５１は、加盟店２からの売上データを集信する。
【０１００】
次に、第１データセンタ５ｂは、オーソリ用データを作成する（ステップＳ５０２）。すなわち、第１データセンタ５ｂのオーソリデータ伝送部５４は、Ｎｏｔ  ｏｎ−ｕｓ分のオーソリ用データを作成する。
【０１０１】
次に、オーソリデータ伝送部５４は、作成したオーソリ用データを第２データセンタ６ａに転送する（ステップＳ５０３）。
第２データセンタ６ａは、オーソリ用データにＲフラグを付加するとともに、オーソリ用データの転送量を調整して、イシュア４にＲフラグ付きオーソリ用データを中継する（ステップＳ５０４）。
【０１０２】
次に、イシュア４は、オーソリ処理を実行し（ステップＳ５０５）、オーソリ結果を第２データセンタ６ａに送信する（ステップＳ５０６）。
次に、第２データセンタ６ａは、受信したオーソリ結果を第１データセンタ５ｂに中継する（ステップＳ５０７）。
【０１０３】
続く、ステップＳ５０８からステップＳ５１０の処理は、図１１に示すステップＳ１０５からステップＳ１０７の処理と同様であるので、ここではその説明を省略する。
【０１０４】
以上説明したように、本実施形態による取引システム１ｂは、オーソリ用データをイシュア４に転送する場合に、所定のルールに基づいて、オーソリ用データの転送量を調整し、オーソリ用データをイシュア４に中継する第２データセンタ６ａ（中継センタ）を備えている。
これにより、本実施形態による取引システム１ｂは、第１の実施形態のように、イシュア４がオーソリ用データファイルによるバッチ処理の対応をする必要がない。そのため、本実施形態による取引システム１ｂは、例えば、イシュア４に、オーソリ用データファイルを受け付けるための変更を行う必要がない。また、例えば、夜間などの処理が空いている時間帯に、第２データセンタ６ａが、オーソリ用データをイシュア４に中継するようにできるので、本実施形態による取引システム１ｂは、イシュア４の処理が煩雑になる程度を低減することができる。また、本実施形態による取引システム１ｂは、第１データセンタ５と各イシュア４との間のネットワークの負荷をより低減することができる。よって、本実施形態による取引システム１ｂは、上述した第１の実施形態、及び第２の実施形態と同様に、取引ごとにオーソリを行う場合において処理が煩雑になる程度を低減することができる。
【０１０５】
なお、上述した実施形態において、第１データセンタ５ｂは、第２データセンタ６ａの一部又は全部を含むようにしてもよい。例えば、第１データセンタ５ｂが、オーソリ用データをイシュア４に転送する場合に、所定のルールに基づいて、オーソリ用データの転送量を調整し、オーソリ用データをイシュア４に中継するオーソリ中継部６５ａ（中継部）を備えるようにしてもよい。
【０１０６】
次に、第４の実施形態による取引システムについて、図面を参照して説明する。
［第４の実施形態］
ここでは、図５を参照して説明した上述の［変形例３］を第４の実施形態として、詳細に説明する。
【０１０７】
図２１は、第３の実施形態による取引システム１ｃの一例を示す機能ブロック図である。
図２１に示すように、取引システム１ｃは、加盟店２と、イシュア４と、アクワイアラ３と、第１データセンタ５ａと、第２データセンタ６ａと、第３データセンタ８とを備えている。
なお、この図において、図１９に示す構成と同一の構成については同一の符号を付し、その説明を省略する。
【０１０８】
第３データセンタ８は、例えば、収納代行センタであり、売上指示データから簡易に売上データを生成するサービスを提供する。第３データセンタ８は、例えば、１つ又は複数のコンピュータ装置により構成される。また、第３データセンタ８は、売上指示データ集信部８１と、アクワイアラ情報記憶部８２と、イシュアＢＩＮ情報記憶部８３と、オーソリデータ伝送部８４ａと、オーソリ結果受領部８５と、売上データ作成部８６と、売上データ配信部８７とを備えている。
【０１０９】
なお、本実施形態では、上述した第３の実施形態における第１データセンタ５ｂの代わりに、第３データセンタ８を備えている。第３データセンタ８は、上述した第１データセンタ５ｂと同様の処理を行う。第３データセンタ８における売上指示データ集信部８１と、アクワイアラ情報記憶部８２と、イシュアＢＩＮ情報記憶部８３と、オーソリデータ伝送部８４ａと、オーソリ結果受領部８５と、売上データ作成部８６と、売上データ配信部８７とは、第１データセンタ５ｂにおける売上データ集信部５１と、アクワイアラ情報記憶部５２と、イシュアＢＩＮ情報記憶部５３と、オーソリデータ伝送部５４ａと、オーソリ結果受領部５５と、売上データ作成部５６と、売上データ配信部５７とに対応する。
売上指示データ集信部８１は、加盟店２からの売上指示データを集信し、売上指示データに基づいて売上データを生成する。
【０１１０】
本実施形態における第１データセンタ５ａは、第２の実施形態における第１データセンタ５ａと同様であるので、ここではその説明を省略する。
【０１１１】
以上説明したように、本実施形態による取引システム１ｃは、第２の実施形態における第１データセンタ５ａと同様の処理を行う第３データセンタ８と、第１データセンタ５ａとを備えている。
これにより、本実施形態による取引システム１ｃは、既存のシステムである第１データセンタ５ａを変更することなく、第３データセンタ８を追加することにより、第３の実施形態と同様の効果を奏する。よって、本実施形態による取引システム１ｃは、上述した第３の実施形態と同様に、取引ごとにオーソリを行う場合において処理が煩雑になる程度を低減することができる。
【０１１２】
なお、本発明は、上記の各実施形態に限定されるものではなく、本発明の趣旨を逸脱しない範囲で変更可能である。
例えば、上記の各実施形態は、独立した実施形態として説明したが、複数の実施形態を組み合わせて実施する形態であってもよい。
また、上記の各実施形態を実施させたシステムを複数混在させて、例えば、加盟店２、アクワイアラ３、及びイシュア４の要求により、加盟店２、アクワイアラ３、及びイシュア４ごとに、異なるシステムを実施させるようにしてもよい。
【０１１３】
また、上記の第１の実施形態は、オーソリ用データファイルによる転送を含む例を説明したが、オーソリ用データファイルに代えて、個別のオーソリ用データをオンライン処理するようにしてもよい。
また、上記の第２の実施形態は、代行センタ７への対応を含まない形態であってもよいし、専用サーバ１０を介して、当該オーソリ転送システムＴＳ１によりイシュア４に転送する対応を含まない形態であってもよい。
【０１１４】
なお、本発明における取引システム１（１ａ〜１ｅ）の各処理の機能を実現するためのプログラムをコンピュータ読み取り可能な記録媒体に記録して、この記録媒体に記録されたプログラムをコンピュータシステムに読み込ませ、実行することにより取引処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１１５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１１６】
１、１ａ、１ｂ、１ｃ、１ｄ、１ｅ  取引システム
２  加盟店
３  アクワイアラ
４  イシュア
５、５ａ、５ｂ  第１データセンタ
６、６ａ  第２データセンタ
７  代行センタ
８  第３データセンタ
９  第４データセンタ
１０  専用サーバ
５１  売上データ集信部
５２、８２  アクワイアラ情報記憶部
５３、８３  イシュアＢＩＮ情報記憶部
５４、５４ａ、８４ａ  オーソリデータ伝送部
５５、８５  オーソリ結果受領部
５６、８６  売上データ作成部
５７、８７  売上データ配信部
６１  オーソリデータ取得部
６２  対象加盟店情報記憶部
６３  イシュア情報記憶部
６４  イシュア代行記憶部
６５、６５ａ  オーソリ中継部
８１  売上指示データ集信部
ＴＳ１  オーソリ転送システム
【図１】
2015092333.tif 000003
【図２】
2015092333.tif 000004
【図３】
2015092333.tif 000005
【図４】
2015092333.tif 000006
【図５】
2015092333.tif 000007
【図６】
2015092333.tif 000008
【図７】
2015092333.tif 000009
【図８】
2015092333.tif 000010
【図９】
2015092333.tif 000011
【図１０】
2015092333.tif 000012
【図１１】
2015092333.tif 000013
【図１２】
2015092333.tif 000014
【図１３】
2015092333.tif 000015
【図１４】
2015092333.tif 000016
【図１５】
2015092333.tif 000017
【図１６】
2015092333.tif 000018
【図１７】
2015092333.tif 000019
【図１８】
2015092333.tif 000020
【図１９】
2015092333.tif 000021
【図２０】
2015092333.tif 000022
【図２１】
2015092333.tif 000023